(57)【特許請求の範囲】
【請求項１】
シリンダと、前記シリンダ内で軸方向に摺動可能なピストンと、前記シリンダの先端から突出する注射針とを備え、
前記シリンダの先端に突設して形成され蓋を有する保持筒内に先端に注射針を突設した中空の針支持体を摺動可能に嵌挿し、前記針支持体の根部内周縁に係止受部を形成し、
前記ピストンの先端部には細長い係止突部を突設し、該係止突部は、一端が前記ピストンの先端部に接続されて軸方向に伸びた支柱部と、該支柱部の他端から斜め下方に屈曲して自由端となる可撓性のあるアーム部とから成り、
前記注射針の根部が前記蓋に形成の透孔に接して嵌挿していると共に、前記針支持体が前記保持体内に接して嵌挿し、
前記ピストンを前記シリンダ内で軸方向に前進させると、前記支柱部の他端が前記針支持体の中空内に進入し前記アーム部の前記自由端が前記針支持体の前記係止受部に１点で係止し、該係止状態で前記ピストンを前記シリンダ内で軸方向に後退させると、前記針支持体が前記保持筒から抜けて前記注射針および前記針支持体が傾いた状態で前記シリンダ内に収容される
ことを特徴とする安全注射器。
【請求項２】
前記係止突部は、全体が金属或いは合成樹脂の可撓性材料により形成されていることを特徴とする請求項１に記載の安全注射器。
【請求項３】
前記係止突部は、前記支柱部と前記アーム部とによる逆Ｖ字形状であることを特徴とする請求項１に記載の安全注射器。
【請求項４】
前記ピストンの先端面に前記シリンダの内周面と摺接するピストンシール部を固定し、該ピストンシール部の先端面に前記支柱部を突設したことを特徴とする請求項１に記載の安全注射器。
【請求項５】
前記ピストンシール部の先端面に凹部を形成して該凹部の内底面に前記支柱部を突設したことを特徴とする請求項４に記載の安全注射器。
【発明の詳細な説明】
【０００１】
【発明の属する技術分野】
本発明は、使用後の注射針を注射器内に収容する使い捨ての安全注射器に関する。
【０００２】
【従来の技術】
従来は、使用後の注射針は過って人に刺さると病気が感染して危険であるので、この使用後の注射針を注射器のシリンダ内に単に後退させて収納するものがあった。
【０００３】
【発明が解決しようとする課題】
従来の使用後の注射針を注射器のシリンダ内に単に後退させて収納するものは、注射後にピストンを更に強く押し込んで注射針をこのピストンに掛合し、この後ピストンを引いてシリンダ内に注射針を収納しており、もしこのピストンを又押せば収納されている注射針がシリンダの先端の透孔より再度進出して危険である問題点があった。
【０００４】
本発明はこのような問題点を解消し、使用後の注射針をシリンダ内に確実に収容し、注射針を再び外部に進出させない安全性の高い安全注射器を提供することを目的とする。
【０００５】
本発明は上記の目的を達成すべく、シリンダと、前記シリンダ内で軸方向に摺動可能なピストンと、前記シリンダの先端から突出する注射針とを備え、前記シリンダの先端に突設して形成された保持筒内に、先端に注射針を突設した中空の針支持体を摺動可能に嵌挿し、前記針支持体の根部内周縁に係止受部を形成し、前記ピストンの先端部には細長い係止突部を突設し、該係止突部は、一端が前記ピストンの先端部に接続されて軸方向に伸びた支柱部と、該支柱部の他端から斜め下方に屈曲して自由端となる可撓性のあるアーム部とから成り、前記ピストンを前記シリンダ内で軸方向に前進させると、前記支柱部の他端が前記針支持体の中空内に進入し前記アーム部の前記自由端が前記針支持体の前記係止受部に１点で係止し、該係止状態で前記ピストンを前記シリンダ内で軸方向に後退させると、前記針支持体が前記保持筒から抜けて前記注射針および前記針支持体が傾いた状態で前記シリンダ内に収容されることを特徴とする。
【０００６】
【発明の実施の形態】
本発明の１実施の形態を図１乃至図４により説明する。
【０００７】
図１に示す如く、本発明の安全注射器１３は注射針１とピストン２とシリンダ３とを具備する。該注射針１はキャップ状の針支持体５の上端面にその内部に連通して突設され、又図２の如く該針支持体５はその内周面の下端部に係止受部となる環状の突条６が設けられていると共に、外周面に全周にわたって環状の小溝７が形成され、該小溝７にＯリングなどのシールリング８を係止している。
【０００８】
前記シリンダ３はその上端面に有蓋の保持筒４を設けており、該保持筒４内に前記針支持体５を前記シールリング８によりシール可能に嵌挿している。
【０００９】
前記ピストン２の先端部の押圧板２ａの上面にゴムなどの圧縮体で形成されたピストンシール部９が設けられ、該ピストンシール部９の外周面に２本の半円形の環状溝部１２が設けられ、前記シリンダ３の内周面に摺接してシールする。
【００１０】
又、ピストンシール部９の先端面の中央部に凹部１０が設けられており、該凹部１０の内底面に係止突部１１が突設されている。
【００１１】
該係止突部１１は支柱部１１ａとその先端部から斜下方に突出したアーム部１１ｂとからなり、該アーム部１１ｂの下端は図３の如く該ピストンシール部９の上面部９ａと同位置か或いは図４の如くやや低く位置する様に設けられており、そのため該ピストンシール部９が圧縮される程前記ピストン２を推進した時に前記針支持体５に設けられている前記環状の突条６に前記係止突部１１のアーム部１１ｂの下端が係合する様に形成されている。
【００１２】
ここで該係止突部１１は可撓性を有する金属線や合成樹脂で形成されている。
【００１３】
次に本発明の１実施の形態である安全注射器１３の使用方法を図面により説明する。
【００１４】
図１に示す如く形成された本発明の安全注射器１３のピストン２をピストンシール部９の上面９ａがシリンダ３内の上端に到達するまで押圧移動すると、図５に示す如く該ピストンシール部９内の凹部１０に設けた係止突部１１の支柱部１１ａは針支持体５内に入り込んでもアーム部１１ｂの下端は該針支持体５内に入り込まず、針支持体５の内周面の下端部の環状突条６とは係止しないので、正常の注射器として再度使用することができる。
【００１５】
次に、この安全注射器１３を注射器として使用した後に、図６に示す如くピストン２を更に押し込むと、ピストンシール部９が圧縮され、該ピストンシール部９の凹部１０内に立設された可撓性を有する係止突部１１は針支持体５内に入り込み該係止突部１１のアーム部１１ｂの下端が拡開して針支持体５内の突条６に係止する。
【００１６】
更に、図７に示す如く、図６の係止状態からピストン２に掛ける力の向きを変えて引きもどすと針支持体５は保持筒４内から抜け出し、更に該ピストン２を引きもどすと、該針支持体５の先端面部に突設の注射針１は、シリンダ３内に入り、該針支持体５内でアーム部１１ｂの下端が係止した側に該注射針１は斜めに倒れる。
【００１７】
更に又、図８に示す如く、図７のシリンダ３内に注射針１が倒れた状態から再びピストン２を押し込むと、該注射針１はシリンダ３内で折れ曲る。
【００１８】
この様に注射後の注射針１がシリンダ３内で折り曲げることにより危険な病気の感染を防止することができ、又ピストン２がシリンダ３内に短く収納されるので廃棄などの取扱いを簡単にすることができる。
【００１９】
【発明の効果】
この様に本発明によると、使用後の注射針を単に収納するのでなく、シリンダ内で使用不能に折り曲げて収納することにより、注射針により刺さることを完全に防止できて安全性の高い効果を有する。
【図面の簡単な説明】
【図１】本発明の１実施の形態の安全注射器の断面図である。
【図２】シリンダの先端部の個所の断面図である。
【図３】ピストンの先端部の個所の断面図である。
【図４】その変形例の断面図である。
【図５】安全注射器の注射時の状態を示す断面図である。
【図６】係止突部が係止受部に係止した状態を示す断面図である。
【図７】針支持体と共に注射針がシリンダ内に収納された状態を示す断面図である。
【図８】注射針が折り曲げられた状態を示す断面図である。
【符号の説明】
１      注射針
２      ピストン
３      シリンダ
４      保持筒
５      針支持体
６      係止受部
７      小溝
８      シールリング
９      ピストンシール部
１０    凹部
１１    係止突部
１１ａ  支柱部
１１ｂ  アーム部
１３    安全注射器
【図１】
0004209610.tif 000002
【図２】
0004209610.tif 000003
【図３】
0004209610.tif 000004
【図４】
0004209610.tif 000005
【図５】
0004209610.tif 000006
【図６】
0004209610.tif 000007
【図７】
0004209610.tif 000008
【図８】
0004209610.tif 000009